(57)【特許請求の範囲】
【請求項１】
室外ユニットとこの室外ユニットに接続された１台もしくは複数台の室内ユニットとで構成される冷媒系統を複数有する空気調和装置において、
各冷媒系統の各室外ユニット及び各室内ユニットを接続する信号線と、
前記信号線を介して各室内ユニットのアドレスを自動設定する自動設定手段と、
前記複数台の室内ユニットのうち少なくとも１台に接続され、前記自動設定手段に前記室内ユニットのアドレスの自動設定を指示する信号入力手段を備え、
前記信号入力手段は、
前記複数の冷媒系統のいずれか１つの冷媒系統を選択する冷媒系統選択手段を有し、
前記冷媒系統選択手段により冷媒系統が選択されている場合には、この選択された冷媒系統に属する室内ユニットに対してのアドレスの自動設定を自動設定手段に指示すると共に、
前記冷媒系統選択手段により冷媒系統が選択されていない場合には、前記室内ユニットのアドレスの自動設定を前記冷媒系統ごとに順次行うことを前記自動設定手段に指示する
ことを特徴とする空気調和装置。
【請求項２】
前記信号入力手段は空調運転動作を指示するリモートコントローラであることを特徴とする請求項１に記載の空気調和装置。
【発明の詳細な説明】
【０００１】
【発明の属する技術分野】
本発明は、複数台の室外ユニットおよび複数台の室内ユニットからなり、制御系が同一の通信配線を介して接続された空気調和システムに係り、より詳しくは各室内ユニットに当該室内ユニットの属性を表すアドレスを自動設定可能な空気調和装置に関する。
【０００２】
【従来の技術】
一般に、大型ビル等の空気調和システムには、複数の室外ユニットと各室外ユニットに複数の室内ユニットを組み合わせた構成が用いられる。これらの各室外ユニットおよび室内ユニットは互いに独立あるいは協働して運転されるため、制御系を連動させる必要がある。そのために、各室外ユニットおよび室内ユニットの制御系に一本の通信線を配線して必要なデータを各制御系に送信することが行われる。このようなシステムでは、一本の通信線に複数の室外ユニットおよび室内ユニットが接続されるため、室外ユニットと室内ユニットの対応関係を明確にする必要があり、この対応関係の明確化のために、各室内ユニットに対して当該室内自身を特定する識別符号であるアドレスを設定することが行われる。通常、このアドレスの設定はシステムの設置時に行われるが、設置作業員による手動設定では設定ミスが発生する場合があるため、自動設定が求められる。
【０００３】
従来、アドレスの自動設定方法として、アドレス設定のために室外ユニットの圧縮機を運転して冷媒を室内ユニット側に供給し、例えば、圧縮機の運転前後で熱交換器温度が所定温度差以上変化した室内ユニットを検出して各室内ユニットにアドレスを設定するようにした方式が知られている（例えば、特開平６−１４７６０５号公報参照）。
【０００４】
【発明が解決しようとする課題】
従来の空気調和装置では、室外ユニットの制御手段を介して室内ユニットのアドレス設定が行われているが、特に大規模空調システムや中規模空調システムにおいては、室外ユニットの台数が多いので、その制御手段を介して設定を行うとなると、アドレス設定作業が大変面倒になるという問題がある。また、全ての室内ユニットに対してアドレスを全自動設定できるように構成した空気調和システムにおいては冷媒配管と電気工事の終了していない冷媒系統がある場合、冷媒配管と電気工事の終了している運転可能な冷媒系統のみを選択して、その選択した冷媒系統の室内ユニットに自動アドレス設定することができなかった。
【０００５】
本発明は上記状況に鑑みなされたもので、大中規模の空気調和システムが構築されても、自動アドレスの設定作業を簡単に行うことのできる空気調和装置を提供することを目的とする。
【０００６】
【課題を解決するための手段】
請求項１記載の発明は、室外ユニットとこの室外ユニットに接続された１台もしくは複数台の室内ユニットとで構成される冷媒系統を複数有する空気調和装置において、各冷媒系統の各室外ユニット及び各室内ユニットを接続する信号線と、前記信号線を介して各室内ユニットのアドレスを自動設定する自動設定手段と、前記複数台の室内ユニットのうち少なくとも１台に接続され、前記自動設定手段に前記室内ユニットのアドレスの自動設定を指示する信号入力手段を備え、前記信号入力手段は、前記複数の冷媒系統のいずれか１つの冷媒系統を選択する冷媒系統選択手段を有し、前記冷媒系統選択手段により冷媒系統が選択されている場合には、この選択された冷媒系統に属する室内ユニットに対してのアドレスの自動設定を自動設定手段に指示すると共に、前記冷媒系統選択手段により冷媒系統が選択されていない場合には、前記室内ユニットのアドレスの自動設定を前記冷媒系統ごとに順次行うことを前記自動設定手段に指示することを特徴とする。
【０００７】
この発明では、信号入力手段から、室内ユニットの自動アドレス処理を行うことができるので、大中規模の空気調和システムが構築されても、自動アドレスの設定作業性を向上できる。
【０００９】
また、この発明では、信号入力手段から、全ての冷媒系統に接続された室内ユニットのアドレスを設定することができるため、大中規模の空気調和システムが構築されても、冷媒系統毎に自動アドレス処理を施す必要がなく全体の室内ユニットに対して自動アドレス設定を効率よく行うことができ、自動アドレス設定作業性を向上できる。
【００１０】
また、１つの冷媒系統に接続された室内ユニットのみを選択して自動アドレスのアドレスを設定することができるため、全ての冷媒配管工事や電気工事等が完了しておらず全空調システムが動作できない場合に、冷媒配管工事や電気工事等が完了している冷媒系統のみを選択して自動アドレス処理を行うことができる。従って、大中規模の空気調和システムが構築されても、自動アドレスの設定作業性を向上できる。
【００１１】
請求項３記載の発明は、請求項１に記載のものにおいて、信号入力手段は空調運転動作を指示するリモートコントローラであることを特徴とする。
【００１２】
この発明では、例えば設置作業者やサービス作業者が、空調運転動作を指示するリモートコントローラにおいて確認しながら全体自動アドレス処理あるいは一冷媒系統自動アドレス処理を行うことができる。
【００１３】
【発明の実施の形態】
以下、本発明の実施形態を図面に基づいて詳細に説明する。図１は本発明に係る空気調和システムの全体を示す概略構成図であり、図２は室外ユニットおよび室内ユニット内の機器構成を示す概略図である。尚、これらの図において、冷凍サイクルは実線により示し、制御・通信回路は一点鎖線により示してある。
【００１４】
図１に示したように、本実施形態の空気調和システムは、システム全体を制御・統括する集中コントローラ１と、共に集中コントローラ１に無極性２線方式のバスライン３を介してリンク配線接続された、多数台の室内ユニット５−１〜５−ｎと、第１〜第３室外ユニット７−１〜７−３とから構成されている。図中、９は室内ユニットにリモコンライン４を介して接続されたワイヤードリモートコントローラ（以下、リモコンと略称する）である。
【００１５】
図２に示したように、室内ユニット５−１〜５−ｎ側には、室内熱交換器２１、電動ファン２３、電動膨張弁２５、電動フラップ２７等が設置されている。また、室外ユニット７−１〜７−３側には、圧縮機３１、電磁式の四方弁３３、室外熱交換器３５、電動ファン３７、アキュムレータ３９等が設置されている。冷媒回路を構成する機器は、ガス冷媒あるいは液冷媒の流通に供される冷媒配管４１〜４７により接続されている。
【００１６】
各室内ユニット５−１〜５−ｎ内には、室内側コントロールユニット（以下、室内側ＥＣＵと記す）６１が設置されている。室内側ＥＣＵ６１はＣＰＵを始め、入出力インタフェースやＲＯＭ、ＲＡＭ等から構成され、室内側ＥＣＵ６１では、入力インタフェースに室温Ｔｒ  を検出する室温センサ８１や、室内熱交換器２１の冷房運転時における入口側および出口側の冷媒温度Ｔｆｉ，Ｔｆｏを検出する第１，第２冷媒温度センサ８３，８５等が接続し、出力インタフェースに電動ファン２３や電動膨張弁２５、電動フラップ２７等が接続している。
【００１７】
一方、各室外ユニット７−１〜７−３内には、室外側コントロールユニット（以下、室外側ＥＣＵと記す）９１が設置され、各リモコン９内にはリモコン側コントロールユニット（以下、リモコン側ＥＣＵと記す）９３が設置されている。両ＥＣＵ９１，９３は、室内側ＥＣＵ６１と略同様の構成を有しており、室外側ＥＣＵ９１には圧縮機３１、四方弁３３、電動ファン３７の他、圧縮機３１の吐出側冷媒圧力Ｐｄ  を検出する圧力センサ９３、外気温Ｔａ  を検出する外気温センサ９５等が接続し、リモコン側ＥＣＵ９３には後述するディスプレイや各種スイッチが接続している。
【００１８】
図４は、リモコン９の表示・操作部を示す正面図であり、図中の符号１０１は運転情報等の表示に供される液晶ディスプレイである。液晶ディスプレイ１０１には、左上方に制御対象となるユニットナンバ表示（系統表示１０３−室内ユニット表示１０５）、右中央に項目コード表示１０７、下方に設定データ表示１０９がそれぞれなされる。また、液晶ディスプレイ１０１の左側には、上から順に、ユニット選択スイッチ１１１、スイング／風向スイッチ１１３、タイマ設定スイッチ１１５、タイマ時間スイッチ１１７，１１９、セットスイッチ１２１、取消スイッチ１２３が配設されている。
【００１９】
また、液晶ディスプレイ１０１の右側には、上から順に、運転切換スイッチ１２５、温度設定スイッチ１２７，１２９、風速切換スイッチ１３１、フィルタ交換ランプ１３３、そのリセットスイッチ１３５、試運転／点検スイッチ１３７が配設されている。更に、液晶ディスプレイ１０１の下部には、運転表示ランプ１３９と運転／停止スイッチ１４１とが配設されている。
【００２０】
次に、冷房運転時における冷媒の流れを簡単に説明する。
【００２１】
室外ユニット７−１〜７−３内では、冷媒配管４７から圧縮機３１に吸引されたガス冷媒が、断熱圧縮により高温高圧となって圧縮機３１から吐出され、冷媒配管４１、四方弁３３、冷媒配管４２を経由して室外熱交換器３５に流入する。高温高圧のガス冷媒は、室外熱交換器３５内を通過する間に外気により冷却され、凝縮することにより液冷媒となった後、冷媒配管４３を経由して各室内ユニット５−１〜５−ｎの電動膨張弁２５に流入する。
【００２２】
液冷媒は、電動膨張弁２５で流量を調整された後、冷媒配管４４を経由して室内熱交換器２１に流入する。液冷媒は、室内熱交換器２１内を通過する間に気化してガス冷媒となり、気化潜熱により電動ファン２３が送風した室内空気を冷却する。この際、室内側ＥＣＵ６１は、設定温度Ｔｓ  と室温Ｔｒ  との偏差に基づき電動ファン２３の回転数（ｒｐｍ  ）を制御すると共に、室内熱交換器２１の入口側冷媒温度Ｔｆｉと出口側冷媒温度Ｔｆｏとの偏差が所定値（例えば、０〜１℃）となるように電動膨張弁２５の開弁量（弁体駆動用ステップモータのステップ数）を制御する。室内熱交換器２１内で気化したガス冷媒は、冷媒配管４５から室外ユニット７−１〜７−３内の四方弁３３、冷媒配管４６を経由してアキュムレータ３９に流入し、冷媒配管４７から再び圧縮機３１に吸引される。
【００２３】
また、暖房運転時には、室外側ＥＣＵ９１により、四方弁３３が破線で示すように切り換えられる。これにより、圧縮機３１から吐出された高温高圧のガス冷媒が室内熱交換器２１内で凝縮熱を放出して液冷媒となった後、室外熱交換器３５に流入して外気から気化潜熱を吸収することになる。
【００２４】
本実施形態では、前記構成の空気調和システムの建屋への設置にあたり、各室内ユニット５−１〜５−ｎに対して、当該室内ユニット５−１〜５−ｎの属性を表すアドレスをリモコン９を用いて設定することに特徴を有する。
【００２５】
図３に、この実施の形態における室内ユニットへのアドレス設定の基本的な手順を示す。すなわち、一つの室外ユニット（例えば、室外ユニット７−２）を暖房運転し（ステップＳ３１）、この室外ユニット７−２の冷媒系統に属する各室内ユニット（例えば、室内ユニット５−２１  〜５−２５  ）の室内熱交換器２１に冷媒を循環させる。全ての室内ユニットについて順次、室内熱交換器２１の温度変化を検出し（ステップＳ３２）、所定の温度変化を示す室内熱交換器２１を内蔵する室内ユニットに対して運転中の室外ユニットに関連するアドレスの割当てを行う（ステップＳ３３）。ステップＳ３２とステップＳ３３の処理は、ステップＳ３４にて、全ての室内ユニットについて処理が実行されたと判定されるまで実行される。以上のアドレス設定手順は、任意の室外ユニットの室外側ＥＣＵ９１内に格納されたアドレス設定プログラムにより自動的に行われる。
【００２６】
なお、アドレス設定に際して行われる運転モードとして暖房運転を用いる理由は、冷房運転時に比べて暖房運転の方が熱交換器の温度変化幅を大きく、したがって温度変化の有無の確定が明確であり、アドレス設定の信頼性が高いからである。しかしながら、温度変化幅が大きくとれる場合には冷房運転モードでアドレス設定することは可能である。
【００２７】
本実施形態では、リモコン９を用いたアドレスの設定時に「全体自動アドレス」と「一冷媒系統自動アドレス」の処理選択が可能になる。
【００２８】
「全体自動アドレス」処理は全部の室外ユニット７−１乃至７−３に電源を投入して自動アドレス処理を行う。この処理では全部の冷媒系統の室内ユニットのアドレスが自動的に設定される。「一冷媒系統自動アドレス」処理は１つの冷媒系統の室外ユニットに電源を投入して自動アドレス処理を行う。この処理では冷媒系統毎の室内ユニットのアドレスが設定される。
【００２９】
図５は動作フローを示す。ステップＳ１において通常リモコンモード時に、図４に示すリモコン９の試運転／点検スイッチ１３７とタイマー時間スイッチ１１７を、例えば４秒以上押下されたか否かが判定される。４秒以上押下された場合、自動アドレス設定モードにセットされる。４秒以上これらのスイッチが押されなければ自動アドレス設定モードに移行することはない。つぎに、温度設定スイッチ１２７，１２９を押して「全体自動アドレス」または「一冷媒系統自動アドレス」の自動アドレス処理を選択する（ステップＳ２）。
【００３０】
「全体自動アドレス」処理が選択されると、リモコン９の項目コード表示１０７に「ＡＡ」が表示され（ステップＳ３）、「一冷媒系統自動アドレス」処理が選択されると、リモコン９の項目コード表示１０７に「Ａ１」が表示される（ステップＳ２３）。リモコン９の項目コード表示１０７には初期時に「ＡＡ」が表示され、温度設定スイッチ１２７，１２９を押すことにより、表示は「ＡＡ」→「Ａ１」→「ＡＡ」の順に切り替わる。
【００３１】
「全体自動アドレス」処理が選択された場合、ステップＳ４乃至Ｓ１１に移行する。これによると、作業者がいちいち冷媒系統を選択して各冷媒系統の室外ユニットに対して自動アドレス処理を行わなくても「全体自動アドレス」処理をスタートすることにより全ての冷媒系統の自動アドレス処理を簡単に行うことができ、自動アドレス処理の作業性が向上する。
【００３２】
「全体自動アドレス」処理が選択されると（ステップＳ３）、室外ユニット７−１乃至７−３の順に、冷媒系統毎に、図３に示す手順に従って室内ユニット５−１〜５−ｎのアドレスが自動設定され、現在自動アドレス中の室外ユニットアドレスはリモコン９のユニットナンバ表示（系統表示１０３）に表示される。例えば、室外ユニット７−１の室外ユニットアドレスは「０１」で表示され、室外ユニット７−２の室外ユニットアドレスは「０２」で表示され、室外ユニット７−３の室外ユニットアドレスは「０３」で表示される。
【００３３】
開始する室外ユニットアドレスは、図４のリモコン９のユニット選択スイッチ１１１を押すことにより変更することができる（ステップＳ４）。ステップＳ５においては室外ユニットアドレスが系統アドレスデータにセットされ、この系統アドレスデータにセットされた、例えば室外ユニット７−１に自動アドレススタートが送信される。これにより自動アドレス処理が開始される。
【００３４】
室外ユニット７−１からの受信完了信号を、リモコン９のＥＣＵ９３が受信すると（ステップＳ６）、自動アドレス終了の確認を当該室外ユニット７−１に送信した後（ステップＳ７）、当該室外ユニット７−１に接続された室内ユニットの自動アドレスを終了する（ステップＳ８）。そして、リモコン９のＥＣＵ９３は、室外ユニット７−１から自動アドレス処理の終了信号を受信すると（ステップＳ９）、系統アドレスデータに「＋１」して系統アドレスデータを７−１から７−２にインクリメントする（ステップＳ１０）。その系統アドレスデータが所定値（７−３）に達していなければ（ステップＳ１１）、自動的にステップＳ３からステップＳ９の処理が行われ、その系統アドレスデータが所定値（７−３）に達すると「全体自動アドレス」処理が終了する。
【００３５】
次に「一冷媒自動アドレス」処理について説明する。設置現場においては全部の空調システムを動作させることができない場合がある。例えば冷媒配管と電気工事の終了していない冷媒系統がある場合には、冷媒配管と電気工事の終了している運転可能な冷媒系統のみを選択して、その選択した冷媒系統の室内ユニットに自動アドレス処理を行いたい場合がある。
【００３６】
この場合には、リモコン９において前記のように「一冷媒系統自動アドレス」処理が選択される（ステップＳ２３）。つぎに、室外ユニットアドレスが、図４のリモコン９のユニット選択ボタン１１１を押すことにより選択される（ステップＳ２４）。ステップＳ２５においては室外ユニットアドレスが系統アドレスデータにセットされ、この系統アドレスデータにセットされた、例えば室外ユニット７−２に自動アドレススタートが送信される。これにより「一冷媒系統自動アドレス」処理が、図３に示す手順に従って開始される。
【００３７】
室外ユニット７−２からの受信完了信号を、リモコン９のＥＣＵ９３が受信すると（ステップＳ２６）、自動アドレス終了の確認を当該室外ユニット７−２に送信した後（ステップＳ２７）、当該室外ユニット７−２に接続された室内ユニットの自動アドレスを終了する（ステップＳ２８）。そして、リモコン９のＥＣＵ９３は、室外ユニット７−１から自動アドレス処理の終了信号を受信すると（ステップＳ２９）、「一冷媒系統自動アドレス」処理を終える。
【００３８】
以上説明したように、この実施形態では、空調システムの設置事情により「全体自動アドレス」処理、あるいは「一冷媒系統自動アドレス」処理を、１箇所のリモコン９により選択して実行することができ、空調システムの設置事情に応じて室内ユニットの自動アドレス処理を簡単に行なうことができる。
【００３９】
以上で具体的実施形態の説明を終えるが、本発明は上述した実施形態に限定されるものではない。例えば、上記実施形態では、アドレス設定の操作にリモコンを用いるようにしたが、専用の端末機等を用いるようにしてもよい。アドレス設定時の表示形態を始め、具体的な装置構成や制御手順等についても、本発明の趣旨を逸脱しない範囲で適宜変更可能である。
【００４０】
【発明の効果】
請求項１記載の発明では、信号入力手段から、室内ユニットの自動アドレス処理を行うことができるので、大中規模の空気調和システムが構築されても、自動アドレスの設定作業性を向上できる。
【００４１】
また、請求項１記載の発明では、信号入力手段から、全ての冷媒系統に接続された室内ユニットのアドレスを設定することができるため、大中規模の空気調和システムが構築されても、冷媒系統毎に自動アドレス処理を施す必要がなく全体の室内ユニットに対して自動アドレス設定を効率よく行うことができ、自動アドレス設定作業性を向上できる。
【００４２】
また、１つの冷媒系統に接続された室内ユニットのみを選択して自動アドレスのアドレスを設定することができるため、全ての冷媒配管工事や電気工事等が完了しておらず全空調システムが動作できない場合に、冷媒配管工事や電気工事等が完了している冷媒系統のみを選択して自動アドレス処理を行うことができる。従って、大中規模の空気調和システムが構築されても、自動アドレスの設定作業性を向上できる。
【００４３】
請求項２記載の発明では、例えば設置作業者やサービス作業者が、空調運転動作を指示するリモートコントローラにおいて確認しながら全体自動アドレス処理あるいは一冷媒系統自動アドレス処理を行うことができる。
【図面の簡単な説明】
【図１】本発明の一実施形態に係る空気調和システムの全体を示す概略構成図である。
【図２】室内ユニットおよび室外ユニット内の機器構成を示す概略図である。
【図３】自動アドレスの手順を示すフローチャートである。
【図４】リモコンの表示・操作部を示す正面図である。
【図５】「全体自動アドレス」処理と「一冷媒系統自動アドレス」処理の手順を示したフローチャートである。
【符号の説明】
１  集中コントローラ
３  バスライン
５−１〜５−ｎ  室内ユニット
７−１〜７−３  室外ユニット
９  ワイヤードリモートコントローラ（リモコン）
６１  室内側ＥＣＵ
９１  室外側ＥＣＵ
９３  リモコン側ＥＣＵ
１０１  液晶ディスプレイ
【図１】
0003573932.tif 000002
【図２】
0003573932.tif 000003
【図３】
0003573932.tif 000004
【図４】
0003573932.tif 000005
【図５】
0003573932.tif 000006